(57)【要約】【課題】コンパクトな組立構造で、組み付け，並びに配線作業が簡単に行えるように過飽和リアクトルをユニット化して標準形のサーマルリレーに外付けした熱動形過負荷継電器を提供する。【解決手段】サーマルリレー（熱動形過負荷継電器）２から分離した独立構造になるユニットケース６に過飽和リアクトルを収容し、かつユニットケースには負荷側配線用の端子台６ａ、および該端子台からケース背面側に引き出してサーマルリレーの負荷側端子に接続する接続板７を備えた上で、この接続板にリアクトルコイルから引き出した一方のリード線を接続して過飽和リアクトルユニット８を構成し、当該ユニットを電磁開閉器１に付設したサーマルリレーの負荷側前面に外付けした組立状態で、接続板７をサーマルリレーの負荷側端子に接続し、他方のリード線３ｃを電磁開閉器１の負荷側端子１ａに接続して過飽和リアクトルをサーマルリレーのヒートエレメントと並列に外部接続する。【選択図】        図１
2007234494.tif 000002
【特許請求の範囲】
【請求項１】
電磁開閉器と組み合わせて使用する過飽和リアクトル付き熱動形過負荷継電器であって、熱動形過負荷継電器にそのヒータと並列接続する過飽和リアクトルを外付けしたものにおいて、
熱動形過負荷継電器から分離した独立構造のユニットケースに各相の過飽和リアクトルを収容し、かつユニットケースには負荷側配線用の端子台、および該端子台からケース背面側に引き出して熱動形過負荷継電器の負荷側端子に接続する接続板を備えた上で、リアクトルコイルから引き出した一方のリード線を前記接続板に接続して過飽和リアクトルユニットを構成し、当該ユニットを熱動形過負荷継電器の前面に外付けした組立状態で、前記接続板を熱動形過負荷継電器の負荷側端子に接続するとともに、リアクトルコイルから引き出した他方のリード線を熱動形過負荷継電器の電源側端子，ないしは電磁開閉器の負荷側端子に接続して過飽和リアクトルを熱動形過負荷継電器のヒートエレメントと並列に外部接続するようにしたことを特徴とする過飽和リアクトル付き熱動形過負荷継電器。
【発明の詳細な説明】
【技術分野】
【０００１】
本発明は、電磁開閉器と組み合わせてモータの給電回路などに適用する過飽和リアクトル付きの熱動形過負荷継電器に関し、詳しくは標準形の熱動形過負荷継電器に外付けして使用する過飽和リアクトルのユニット組立構造に係わる。
【背景技術】
【０００２】
周知のように、慣性の大きな負荷を付けて始動するモータの給電回路で使用する電磁開閉器（電磁接触器）では、上位の配線用回路遮断器との保護協調を図るために、電磁開閉器に過飽和リアクトル付きの遅延形熱動形過負荷継電器（以下「サーマルリレー」と呼称する）を組み合わせて使用するようにしている。
【０００３】
この遅延形のサーマルリレーは、標準形のサーマルリレー（過飽和リアクトル無し）に内蔵したバイメタルの加熱用ヒートエレメント（ヒータ）と並列に有鉄心の過飽和リアクトルを接続したものであり、例えば整定電流の２００％程度までの電流域では負荷電流をヒータに通流し、それを超える過電流電域ではリアクトルの鉄心を飽和させてリアクトルへの分流電流を多くし、ヒータへの電流を制限して動作時限を長くするようにしたものであり、一般には標準形のサーマルリレーに過飽和リアクトルを外付けし使用するようにしている（例えば、特許文献１参照）。
【０００４】
次に、前記した従来構成の過飽和リアクトル付き熱動形過負荷継電器を電磁開閉器に組み付けた状態を図３に示す。図において、１は電磁開閉器（電磁接触器）、２は標準形のサーマルリレー、３は主回路の各相に対応する過飽和リアクトル、４は取付ベース板であり、過飽和リアクトル３は後記のように配線してサーマルリレー２に内蔵のヒートエレメントに並列接続される。なお、図示例ではサーマルリレー２から背後に突き出た棒状の電源側端子（図示せず）を電磁開閉器１の負荷側端子１ａに直接接続しており、この組立体状態で配電盤，制御盤内に配置される。また、２ａはサーマルリレー２の負荷側端子、２ｂは補助端子、２ｃは調整ダイアル、２ｄはリセットボタンである。
【０００５】
ここで、過飽和リアクトル３は鉄心３ａにコイル３ｂを巻装した構造になり、各相ごとに過飽和リアクトル３は個別に取付ベース板４の上に取付けてサーマルリレー２の周辺に配置した上で、各相ごとにリアクトル３のコイル３ｂの両端から引き出したリード線に圧着端子５を取り付け、一方のリード線３ｃは電磁開閉器１の負荷側端子（ネジ端子）１ａに接続し、他方のリード線３ｄをサーマルリレー２の負荷側端子（ネジ端子）２ａに接続して過飽和リアクトル３をサーマルリレー２に内蔵のヒートエレメントと並列に接続している。
【０００６】
なお、前記形態とは別に、サーマルリレー２を自立形の設置ユニットに搭載して電磁開閉器１とは別置し、この設置ユニットに設けた電源側端子と電磁開閉器１との間をリード線で配線接続する場合もあり、この組立形態ではリアクトルのコイルから引き出したリード線３ｃを自立形の設置ユニットに備えた電源側端子に接続するようにしている。
【特許文献１】特開昭６３−２７６８４６号公報
【発明の開示】
【発明が解決しようとする課題】
【０００７】
ところで、図３に示した従来の組立形態では、以下に述べるような問題点がある。すなわち、取付ベース板４に過飽和リアクトル３を付加するために追加部品が必要となるとともに、取付ベース板４も大形になって設置面積が大きくなる。
【０００８】
また、各相の過飽和リアクトル３から引き出したリード線３ｄをサーマルリレー２の負荷側端子２ａに接続していることから、ユーザーがロケーション先の現場でサーマルリレー２の負荷側に電線を配線する際には、各相のリアクトル３のリード線３ｄをサーマルリレー２の端子台から一旦外した後に外部配線の電線と一緒に共締めして負荷側端子２ａに接続し直す必要があるため、この配線作業でリード線３ｄの接続先を間違えて過飽和リアクトル３の配線ミスを引き起こすおそれがある。さらに、図示のように過飽和リアクトル３が裸状態のまま設置されていると、通電中にユーザーが充電部に触れて感電する危険もある。
【０００９】
本発明は上記の点に鑑みなされたものであり、その目的は前記課題を解決し、コンパクトな組立構造で、サーマルリレーへの組み付け，並びに配線作業が簡単に行えるように過飽和リアクトルをユニット化して標準形のサーマルリレーに外付けするようにした過飽和リアクトル付き熱動形過負荷継電器を提供することにある。
【課題を解決するための手段】
【００１０】
上記目的を達成するために、本発明によれば、熱動形過負荷継電器から分離した独立構造になるユニットケースに各相の過飽和リアクトルを収容し、かつユニットケースには負荷側配線用の端子台、および該端子台からケース背面側に引き出して熱動形過負荷継電器の負荷側端子に接続する接続板を備えた上で、リアクトルコイルから引き出した一方のリード線を前記接続板に接続して過飽和リアクトルユニットを構成し、当該ユニットを熱動形過負荷継電器の負荷側前面に外付けした組立状態で、前記接続板を熱動形過負荷継電器の負荷側端子に接続するとともに、リアクトルコイルから引き出した他方のリード線を熱動形過負荷継電器の電源側端子，ないしは電磁開閉器の負荷側端子に接続して過飽和リアクトルを熱動形過負荷継電器のヒートエレメントと並列に外部接続するようにする。
【発明の効果】
【００１１】
上記構成のように、過飽和リアクトルをユニット化して標準形の熱動形過負荷継電器（サーマルリレー）に直接組み付けるようにしたことにより、取付ベース板も不要で従来構造と比べて小形コンパクト化が図れるほか、過飽和リアクトルを熱動形過負荷継電器に外付けして配線する際の作業が大幅に簡略化される。また、過飽和リアクトルユニットのケースに負荷側配線用の端子台を設け、かつ該端子台から背後に引き出した接続板にリアクトルの一方のリード線をあらかじめ接続しておくことで、従来構造で問題となっていた配線ミスも確実に防げる。
【発明を実施するための最良の形態】
【００１２】
以下、本発明の実施の形態を図１，図２に示す実施例に基づいて説明する。なお、図１は電磁開閉器に標準形のサーマルリレー，および本発明による過飽和リアクトルユニットを外付けした組立状態を表す図、図２は図１における過飽和リアクトルユニットからケースを外した内部構造を表す図であり、実施例の図中で図３に対応する部材には同じ符号を付してその説明は省略する。
【００１３】
すなわち、図示実施例においては、３相分の過飽和リアクトル３（図２参照）をユニットケース６に一括して収容し、このユニットケース６には負荷側配線用の端子台６ａを備え、さらに該端子台６ａからケース背後に接続板７を引き出して過飽和リアクトルユニット８を構築しており、このユニット８を標準形のサーマルリレー２の前面に直接組み付けた上で、後記のように相互配線を行うようにしている。
【００１４】
ここで、ユニットケース６は上面に端子台６ａを一体成形した箱形の樹脂成形品になり、その内部を３相分の室に仕切った上で図２に示す過飽和リアクトル３を収容しており、さらに図示してないがケース背面にはサーマルリレー２の端子台に掛止する係合爪を備えている。また、前記接続板７は上下両端にＬ字状に屈曲した端子部７ａを形成した形状になり、その上端側の端子部７ａを前記端子台６ａに臨ませ、下端側の端子部を背後に突き出してユニットケース６の背面側に組み込むようにしている。さらに、ユニットケース６に組み込んだ各相の過飽和リアクトル３（図２参照）は、そのリアクトルコイル３ｂの一方のリード線３ｃをユニットケース６から背後に引出し、他方のリード線３ｄをケース内部で接続板７に半田付けしておく。なお、３ｅはコイル３ｂのボビンである。
【００１５】
そして、電磁開閉器１に付設したサーマルリレー２に前記構成の過飽和リアクトルユニット８を外付けするには、ユニットケース６をサーマルリレー２の前面に掛止し、この状態でユニットケース６の背後に突き出している接続板７の端子部をサーマルリレー２の負荷側端子（ネジ端子）２ａに接続し、ユニットケース６から背後に引き出したリード線３ｃを図１で表すように電磁開閉器１の負荷側端子１ａに接続する。これにより、各相の過飽和リアクトル３がサーマルリレー２に内蔵したヒートエレメントと並列接続して配線されることになる。なお、電磁開閉器１は制御盤などの盤内に敷設した支持レールに取り付け、この位置で主回路の負荷側電線を前記ユニットケース６の端子台６ａに配線する。
【００１６】
なお、図示例の過飽和リアクトルユニット８では、そのユニットケース６が３相分の過飽和リアクトル３を一括して収容する単体ケースとして構成されているが、これを１相分のケース分割して過飽和リアクトル３を一基ずつ収容した上で、サーマルリレー２に外付けするようにしてもよい。
【００１７】
また、図示例では電磁開閉器１に直結したサーマルリレー２に過飽和リアクトルユニット８を外付けしているが、これとは別にサーマルリレー２を自立形の設置ユニットに搭載して電磁開閉器１と別置し、この設置ユニットに設けた電源側端子と電磁開閉器１との間をリード線で配線接続した形態でも同様に適用できることは勿論である。なお、この組立形態ではユニットから引き出したリアクトルのリード線３ｃを自立形設置ユニットに備えた電源側端子に接続するようにする。
【図面の簡単な説明】
【００１８】
【図１】電磁開閉器に組み付けたサーマルリレーに過飽和リアクトルユニットを外付けした本発明実施例の組立構成図
【図２】図１における過飽和リアクトルユニットのユニットケースを外した内部構造を表す図
【図３】電磁開閉器，サーマルリレー，および過飽和リアクトルを取付ベース板に搭載した組立状態を表す従来例の構成図
【符号の説明】
【００１９】
１    電磁開閉器
１ａ  負荷側端子
２    サーマルリレー（熱動形過負荷継電器）
２ａ  負荷側端子
３    過飽和リアクトル
３ｂ  リアクトルコイル
３ｃ，３ｄ  リード線
６    過飽和リアクトルユニットのユニットケース
６ａ  負荷側配線用端子台
７    接続板
８    過飽和リアクトルユニット
【図１】
2007234494.tif 000003
【図２】
2007234494.tif 000004
【図３】
2007234494.tif 000005